(57)【特許請求の範囲】
【請求項１】
腰の下に敷いて用いるものであって、
平行に互いに間隙をあけて配され、その長手方向が人の丈方向にして用いられる複数の棒状部材と、
該棒状部材の両端部で該複数の棒状部材を連結する可撓性の連結部材と、
前記棒状部材の間の間隙に対応して、該間隙の上部の位置に、前記棒状部材の長手方向に沿ってスリットが設けられたクッション性シートと、を備える指圧効果用用具と、
前記棒状部材の長手方向と平行な該指圧効果用用具の側部に連結された板状クッション体と、
をそれぞれ、片方の大腿部及び臀部の該大腿部に連なる一部分の下、他方の大腿部及び臀部の該大腿部に連なる一部分の下、に敷かれるように含む複合の指圧効果用用具。
【請求項２】
請求項１に記載の複合の指圧効果用用具において、
前記棒状部材の断面は、上面が平坦で下面が外側に凸な弧状であることを特徴とする複合の指圧効果用用具。
【発明の詳細な説明】
【技術分野】
【０００１】
本発明は人体を指圧するように刺激し、血行を良くして体の調子を良くする、指圧効果用用具に関する。
【背景技術】
【０００２】
従来より、人体を指圧するように刺激して血行を良くすることを目的とした用具は、青竹踏みや、電動マッサージ用椅子など数多くある。しかし、人体は複雑で、刺激すべき部位が最適であるか定まらず、又、いたずらに同一個所を反復刺激しても必ずしも良い効果が得られなかった。又、意識的に指圧効果を与えるべき部位を刺激する操作をその操作にかかりきりに専任して長時間行うことは、多忙でその操作の時間が取れない場合が多く、実行が難しかった。
【０００３】
又、敷物に球体から成る突起物を配して、その敷物を使用することにより、この突起物で身体の一部を圧迫することも開示されている（例えば、特許文献１参照。）が、同一個所がスポット的に圧迫され続けるので、その圧迫個所の刺激が強すぎるおそれがある。
【０００４】
又、人体を指圧するように刺激して血行を良くすることを目的とした用具としては特殊形状の枕が種々開示されている。例えば、首筋のはりの解消を目的に一対の棒状の袋を平行に並べそれぞれにそば殻を入れた二山まくら（例えば、特許文献２参照。）や、複数本の筒状硬質棒を紐を介して連結させたもの（例えば、特許文献３参照。）や、使用するひとの丈方向と直交する方向に沿って凹状に湾曲する半筒状のもの（例えば、特許文献４参照。）が開示されている。しかし、これらはいずれも指圧すべきポイントを確実に捉える点で不十分であり、指圧効果は不満足である。
【０００５】
一方、近年来、労働や生活の形態が人体にストレスを生じさせやすくしている。緊張や、冷房の効いた部屋等での長時間のデスクワークにより首筋がこったり、腰痛になったり、長時間の自動車の運転で脚が痺れたり、つったり、腰痛をひきおこすることが増えてきた。又、長時間航空機のシートに座っていることによる、所謂エコノミー症候群が社会的な問題になっている。
【特許文献１】特開平 ６−１８１８３０号公報（特許請求の範囲）
【特許文献２】特開平 ９−３２７３５９号公報（特許請求の範囲）
【特許文献３】特開平１０−０９９１７６号公報（特許請求の範囲）
【特許文献４】特開平１０−２１５９９２号公報（特許請求の範囲）
【発明の開示】
【発明が解決しようとする課題】
【０００６】
本発明は、これらの問題点に鑑み、車の運転等椅子に座っての作業中に、無意識に万遍なく人体を指圧するように刺激し、血行を良くして体の調子を良くする指圧効果用用具を提供しようとする。更に、腰痛の予防、腰痛の緩和、ヒップアップに有効な指圧効果用用具を提供しようとする。
【課題を解決するための手段】
【０００７】
本発明の要旨とするところは、腰の下に敷いて用いるものであって、平行に互いに間隙をあけて配され、その長手方向が人の丈方向にして用いられる複数の棒状部材と、該棒状部材の両端部で該複数の棒状部材を連結する可撓性の連結部材と、前記棒状部材の間の間隙に対応して、該間隙の上部の位置に、前記棒状部材の長手方向に沿ってスリットが設けられたクッション性シートと、を備える指圧効果用用具であることにある。更に、その指圧効果用用具と、前記棒状部材の長手方向と平行な該指圧効果用用具の側部に連結された板状クッション体と、をそれぞれ、片方の大腿部及び臀部の該大腿部に連なる一部分の下、他方の大腿部及び臀部の該大腿部に連なる一部分の下、に敷かれるように含む複合の指圧効果用用具であることにある。
【０００８】
前記棒状部材の断面は、上面が平坦で下面が外側に凸な弧状であるのが好ましい。
【発明の効果】
【０００９】
本発明の指圧効果用用具は、車の運転等椅子に座っているときに、体の丈方向にそって万遍なく無意識に指圧効果を与えるべき部位を線状に刺激し、血行を良くして体の調子を良くする。
【００１０】
本発明の敷物として使用する指圧効果用用具は、家庭内や事務作業や車の運転、航空機の座席等の椅子に座っての長時間の動作中に、骨盤の下方の人体の奥の部分を万遍なく無意識に刺激し、血行を良くして体の調子を良くする。これにより、骨盤のうっ血の解消に寄与し、使用する人に元気を与える。又、長期の使用によりヒップアップの効果が得られる。
【００１１】
本発明の複合指圧効果用用具は巻取ったり折りたたむことが出来るので、携帯時にかさばらず、携帯に便利である。
【発明を実施するための最良の形態】
【００１２】
本発明に係る態様を図面に基づいて詳しく説明する。なお、本明細書においては、各図にわたって記される同じ符号は同一又は同様の部材やものを示す。
【００１３】
本発明においては、図１に示す指圧効果用用具２ｆが敷物として構成され、指圧効果用用具２ｆは自動車の座席等の椅子に敷いて用いることが出来る。図１（ａ）に示すように、指圧効果用用具２ｆは互いに略等間隔に平行に配された棒状部材３０ｆが両端部それぞれで帯状物から成る連結部材３２ｆにより連結されている。図１（ｂ）の断面図に示すように、指圧効果用用具２ｆは、真っ直ぐな帯状の連結部材３２ｆの片面に棒状部材３０ｆの上面３４ｆが貼り付けられている。又、補助連結部材３３ｆが棒状部材３０ｆを一部巻いて連結部材３２ｆに貼り付けられている。指圧効果用用具２ｆは、真っ直ぐな帯状の連結部材３２ｆが配されている表側３９ｆが人体と当接する側である。
【００１４】
上面３４ｆには長尺の弾性部材が貼着されていてもよい。この弾性部材は幅が棒状部材３０ｆの幅ＷＦとほぼ同じで、棒状部材３０ｆの全長にわたって上面３４ｆに貼着される。この弾性部材の厚さは２〜５ｍｍが好ましい。この態様はこの長尺の弾性部材が貼着されていない指圧効果用用具２ｆと同様に用いることが出来る、腰痛の緩和に有効である。この弾性部材は発泡樹脂、弾性樹脂あるいは不織布等を素材とすることが出来るが、発泡樹脂を素材とすることが好ましい。
【００１５】
図１（ｃ）の断面図に示すように、表側３９ｆに配される帯状の連結部材３２ｆは、棒状部材３０ｆを上面３４ｆから側面にかけてわずかに巻き込んで連結部材３２ｆに貼り付けられていてもよい。
【００１６】
図３に示すように、指圧効果用用具２ｆの上面にクッション性シート３３が設けられて、クッション付きの指圧効果用用具２ｇが構成される。クッション性シート３３には、各棒状部材３０ｆの間の間隙に対応して、その間隙の上部の位置に、棒状部材３０ｆの長手方向に沿ってスリット９２が設けられていることが好ましい。スリット９２を設けることにより、各棒状部材３０ｆが拘束されずに動くので、各棒状部材３０ｆが体にフィットして万遍なく体を刺激する。クッション性シート３３が厚さ約５ｍｍ以下の薄いシートである場合は、スリット９２がない態様であっても指圧効果がある。
【００１７】
クッション性シート３３は、フェルトや不織布から成るものであってもよい。中入れ綿のシートを側地ではさんでキルトしたキルティング地から成るものであってもよい。側地に中入れ綿やスポンジや不織布等の詰め物を詰めた薄い布団状のものであってもよい。厚い布から成るものであってもよい。クッションシート３３は、その他衝撃を和らげるシートから成るものであれば素材は問わない。
【００１８】
クッション性シート３３として嵩高の不織布が用いられることが好ましい。この不織布は３〜１５ｄｔｅｘの合成繊維がバインダで結合されてなることが適度な弾性を発揮して好ましい。
【００１９】
クッション性シート３３の厚さは２〜１５ｍｍであることが好ましい。指圧効果用用具２ｆが座面に配されて太ももに連なる部分の刺激に使用される場合は特に、スリット９２の幅（スリット９２により形成される隙間の幅）が２ｍｍ以下で、クッション性シート３３の厚さは５〜１０ｍｍであることが更に好ましい。
【００２０】
他の態様として、指圧効果用用具２ｆにおいて、クッション性シート３３が、各棒状部材３０ｆの片側だけでなく、各棒状部材３０ｆを挟んでその両側に配されていてもよい。
【００２１】
指圧効果用用具２ｆが背もたれに配されて背中の刺激に使用される場合は特に、スリット９２の幅が４〜６ｍｍであることが好ましい。又、クッション性シート３３の厚さは４〜６ｍｍであることが好ましい。
【００２２】
又、指圧効果用用具２ｇは、図７の断面模式図に示すように、各棒状部材３０ｆとクッション性シート３３との間に１枚の可撓性シート３６ｋｔが介在し、かつ隣接の棒状部材３０ｆ同士が可撓性シート３６ｋｔを介して連結されている構造が安定し好ましい。
【００２３】
又、図８の断面図に示すように、各棒状部材３０ｆと、対応のクッション性シート３３とはひとまとめでシート状物３４ｓで被覆されることが好ましい。これにより、クッション性シート３３が外力で圧縮された場合、そのクッション性シート３３が圧縮方向と直交する両方向に極端にはみ出すことがなくなり、その圧縮によりシート状物３４ｓに張力がかかって圧縮に対する反力となり、指圧効果用用具２ｇの反撥性が向上し好ましい。
【００２４】
図４（ａ）に示すように、本発明の指圧効果用用具２ｆあるいはクッション付きの指圧効果用用具２ｇは、棒状部材３０ｆの先端部が配列している１の縁部９４（先端縁部）の位置を、椅子５０の座面部５４の先端にほぼそろえて、座面部５４の上面に敷く。即ち、棒状部材３０ｆはその長手方向を人の丈方向にして用いられる。これにより、棒状部材３０ｆの先端部が配列している他の縁部９５（後端縁部）の位置と、座面５４の最後部５７（座面５５における背もたれ５２の付け根）との間に略１０〜１５ｃｍの隙間ができ、この位置に露出された座面５８ができる。
【００２５】
図４（ｂ）は，図４（ａ）の状態を上面からみた上面模式図である。本発明の指圧効果用用具２ｆあるいは指圧効果用用具２ｇは、片足の大腿部と臀部の大腿部に連なる一部の下に敷いて用いられることが好ましい。
【００２６】
本発明の指圧効果用用具２ｆあるいは指圧効果用用具２ｇは、例えば、左右の片足の大腿部と臀部の大腿部に連なる一部の下に３０分ないし１時間ずつ交互に敷いて用いられる。このように、一方の足がわであまり長時間にわたって使用せずに、所定の時間だけ一方の足がわで使用した後、他方の足がわで使用することが好ましい。
【００２７】
座面部５４はクッション性を有することが好ましい。座面部５４がクッション性を有しない場合は、座面部５４と、指圧効果用用具２ｆあるいはクッション付きの指圧効果用用具２ｇとの間に厚い座布団のようなクッションシートを介在させることが好ましい。
【００２８】
更に、本発明の指圧効果用用具２ｆあるいは指圧効果用用具２ｇは、椅子の背もたれと使用する人の背中の間に挟んだ状態で用いられる。この場合、背中の左右いずれかのがわに挟んだ状態で用いられることが好ましい。背中の左右に１ないし２時間ずつ交互に敷いて用いられることが更に好ましい。このように、一方のがわであまり長時間にわたって使用せずに、所定の時間だけ一方のがわで使用した後、他方の足がわで使用することが好ましい。又、背中の中央部のみに指圧効果用用具２ｆあるいは指圧効果用用具２ｇを位置させて背中と背もたれとで挟持して使用してもよい。
【００２９】
指圧効果用用具２ｆあるいは指圧効果用用具２ｇは、自動車の座席の座面あるいは背もたれに配して使用されることが好ましい。自動車の座席は絶えず微振動しているのでこの振動により指圧効果用用具２ｆあるいは指圧効果用用具２ｇによる刺激効果が増幅され、効果的な刺激を身体に与える。
【００３０】
指圧効果用用具２ｆあるいは指圧効果用用具２ｇは、上面視で外形が矩形や正方形であってもよいが、円形や楕円形、長円形、卵形等であってもよい。
【００３１】
図１において、指圧効果用用具２ｆの長さＬＦは、２０〜３５ｃｍであることが好ましい。２５〜３０ｃｍであることが脚にフィットして更に好ましい。各棒状部材３０ｆの間の間隙ＰＦは１５〜２５ｍｍであることが、指圧効果を与えるべき部位への適度な刺激効果を得るうえで好ましい。指圧効果用用具２ｆの幅ＷＷは、１０〜３０ｃｍであることが好ましい。１８〜２５ｃｍであることが片足に安定して刺激を与えるうえで更に好ましい。
【００３２】
棒状部材３０ｆは断面が正方形であってもよいが、矩形であってもよい。円形、楕円形、蒲鉾形等丸みを帯びた形であってもよい。この断面形状は使用する人の体調やコリの程度に応じて選択される。棒状部材３０ｆの断面については、図２（ａ）に示すように、上面３７側（体側）が平坦で、下面３５側（椅子の座面側）が外側に凸な弧状であることが、指圧効果を与えるべき部位への適度な刺激効果を得るうえで更に好ましい。棒状部材３０ｆ等の棒状部材の幅ＷＦは、１２〜１８ｍｍであることが好ましい。１４〜１６ｍｍであることが指圧効果を与えるべき部位への適度な刺激効果を得るうえで更に好ましい。棒状部材３０ｆ等の棒状部材の厚さＴＦは、２〜１８ｍｍであることが、指圧効果を与えるべき部位への適度な刺激効果を得るうえで更に好ましい。
【００３３】
又、棒状部材３０ｆの他の好ましい断面形状としては、図２（ｂ）に示すように、上面３７ｂ側（体側）が平坦で、下面３５ｂ側（椅子５０の座面側）が外側に凸な弧状であり、かつ上面３７ｂ側の縁４９が面取りされているものが挙げられる。図２（ｂ）において、棒状部材３０ｆの幅ＷＦ１は、１４〜２０ｍｍであることが、指圧効果を与えるべき部位への適度な刺激効果を得るうえで好ましい。１３ｍｍから１７ｍｍであることがその効果を得るうえで更に好ましい。棒状部材３０ｆの厚さＴＦ１は、１０〜１８ｍｍであることが、指圧効果を与えるべき部位への適度な刺激効果を得るうえで好ましい。
【００３４】
帯状部材３２ｆは織物やフィルムを含むテープ状物であることが好ましい。合成又は天然の皮革を含むテープ状物であってもよい。棒状部材３０ｆの素材としては、木、竹、樹脂、繊維強化樹脂等の剛な素材が好ましい。
【００３５】
椅子５０は、座面部５４がクッション性を有することが必要である。座面部５４が硬くてクッション性を有しない場合は、座面部５４の上にクッション性を有する座布団等のクッション性を有する敷物を敷くことが必要である。
【００３６】
図４に示すこのような態様で指圧効果用用具２ｆやクッション付きの指圧効果用用具２ｇを使用すると、ももの裏側の付け根や、骨盤の下方の筋肉の指圧効果を与えるべき部位が適度に刺激されて、骨盤の下方の人体の奥の部分の血管が刺激されて血行が良くなる。これにより、催しものの観覧、事務、乗り物に乗った時、家庭等において長時間にわたり椅子にかけかけたときの腰や脚の痺れ、腰痛の発生などが抑制される。
【００３７】
特に、ももの裏側の指圧効果を与えるべき部位が適度に刺激されて血行を良くして、運転時に過度に腰が痛くなったり脚や腰が痺れることが防げる。これは、ももの裏側の付け根や、骨盤の下方の筋肉の指圧効果を与えるべき部位が適度に刺激されて、骨盤の下方の人体の奥の部分の血管の血行が良くなるためと思われる。
【００３８】
又、飛行機の座席に指圧効果用用具２ｆやクッション付きの指圧効果用用具２ｇを設置すれば、長期にわたり窮屈な姿勢をとらされても、ももの裏側の指圧効果を与えるべき部位が適度に刺激されて血行を良くして、脚のだるさが軽減され、かつ、脚の血行障害に起因するといわれる所謂エコノミー症候群の予防に寄与可能である。
【００３９】
更に、オフィスの椅子に本発明の指圧効果用用具２ｆやクッション付きの指圧効果用用具２ｇを設置すれば、長期にわたり座って事務作業やパソコン作業等の作業を継続しても、ももの裏側の指圧効果を与えるべき部位が適度に刺激されて血行を良くして、脚のだるさが軽減され、脚がつったり痺れたりするトラブルを減少させることが出来る。
【００４０】
本発明の又更に別の望ましい態様として、図３に示す指圧効果用用具２ｇを一の敷物部１２ｇとし、その側部に板状クッション体１３ｇから成る他の敷物部１４ｇが連結された複合指圧効果用用具２ｋが挙げられる（図５）。
【００４１】
複合指圧効果用用具２ｋが自動車の座席に敷かれて使用される好ましい位置を図６に示す。図６においては、一の敷物部１２ｇが片方の大腿部と臀部の該大腿部に連なる一部分の下に敷かれ、他の敷物部（敷物）１４ｇが他方の大腿部と臀部の該大腿部に連なる一部分の下に敷かれる。
【００４２】
指圧効果用用具２ｋにおいても、指圧効果用用具２ｇの部分は図４（ａ）に示す態様で座席に敷かれる。即ち、棒状部材３０ｆの先端部が配列している１の縁部９４（先端縁部）の位置を、椅子５０の座面部５４の先端にほぼそろえて、座面部５４の上面に敷く。又、棒状部材３０ｆはその長手方向を人の丈方向にして用いられる。これにより、棒状部材３０ｆの先端部が配列している他の縁部９５（後端縁部）の位置と、座面５４の最後部５７（座面５５における背もたれ５２の付け根）との間に略１０〜１５ｃｍの隙間ができ、この位置に露出された座面５８ができる。
【００４３】
図３に示す指圧効果用用具２ｇは、更に異なった使用の態様で、人体への優れた指圧効果をもたらすことが出来る。即ち、図９に示すように、指圧効果用用具２ｇを椅子５０ｘの座面に載置し、人が椅子５０ｘに懸けたときに大腿部から尻にかけた部分の下に指圧効果用用具２ｇがくるように敷く。このとき、指圧効果用用具２ｇの対向する一対の側縁３５０のそれぞれが、平面視で大腿部の中心線上に位置するようにする。又、一対の側縁３５０に直交の一の側縁３５２が肛門の直下をよこぎるように位置する。人と指圧効果用用具２ｇとが図９に示すこのような位置関係をほぼ実現するとき、人が椅子５０ｘに所定の時間懸けたときに血行が促進され、骨盤の深部の血流をよくして元気になる。
【００４４】
図９に示す態様で用いられる指圧効果用用具２ｇは、用いる人の指圧される部位に応じて敷く位置を図９に示す位置から任意の距離ずらして用いても有効である。
【００４５】
図９に示す使用の態様に用いられる指圧効果用用具２ｇとしては、ＬＦ（図１）に相当する、棒状部材３０ｆの長手方向の長さが２５〜３０ｃｍであることが好ましい。２７〜２８．５ｃｍであることが更に好ましい。又、ＷＷ（図１）に相当する、棒状部材３０ｆの長手方向と直交方向の長さが１８〜３０ｃｍであることが好ましい。１９〜２７ｃｍであることが更に好ましい。棒状部材３０ｆの幅は１３〜１７ｃｍであることが好ましい。棒状部材３０ｆの厚さは幅と略同じであることが好ましい。但し、幅が１４〜１６ｃｍである場合は、厚さが２〜１２ｍｍであっても好ましい。
【００４６】
指圧効果用用具２ｇは、棒状部材３０ｆの長手方向と平行な折り目で、２つ折りもしくは多重折りして高さを使用する人にあわせて枕として使用出来る。この場合、クッション性シート３３の側が表面にくるように折られることが好ましい。指圧効果用用具２ｇは巻き体状に巻いてを枕として使用することも出来る。
【００４７】
指圧効果用用具２ｋ、２ｚも、棒状部材の長手方向と平行な折り目で、２つ折りもしくは多重折りして高さを使用する人にあわせて枕として使用出来る。これらの指圧効果用用具は巻き体状に巻いてを枕として使用することも出来る。
【００４８】
なお、本発明の複合指圧効果用用具２ｋは、棒状部材３０ｆの長手方向を巻軸方向としてロール状に無芯であるいは茶筒のような筒体を芯として巻取ることが出来、あるいは、棒状部材３０ｆの長手方向を折り目として折りたたむことが出来るので、携帯時にかさばらず、携帯に便利である。
【００４９】
以上本発明の指圧効果用用具の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【図面の簡単な説明】
【００５０】
【図１】図１（ａ）は本発明の指圧効果用用具の又他の態様を示す平面模式図である。図１（ｂ）は図１（ａ）に示す指圧効果用用具の断面模式図である。図１（ｃ）は図１（ｂ）に示す指圧効果用用具とは異なる態様の指圧効果用用具の断面模式図である。
【図２】図２（ａ）は、図１に示す指圧効果用用具に用いられる棒状部材の断面を示す断面図である。図２（ｂ）は、図２（ａ）とは異なる態様の断面を示す断面図である。
【図３】図１とは異なる態様の本発明の複合指圧効果用用具を示す斜視模式図である。
【図４】図１、図３に示す本発明の指圧効果用用具を座席に敷いて使用する状態を示す説明図であり、図４（ａ）は側面模式図、図４（ｂ）は上面模式図である。
【図５】本発明の指圧効果用用具を示す斜視模式図である。
【図６】図５に示す本発明の指圧効果用用具を座席に敷いて使用する状態を説明する上面模式図である。
【図７】本発明の指圧効果用用具の又他の態様の一例を示す断面模式図である。
【図８】本発明の指圧効果用用具の構成要素である棒状部材３０ｆとクッション性シートとがひとまとめでシート状物で被覆された状態を示す断面模式図である。
【図９】図３に示す本発明の指圧効果用用具を座席に敷いて使用する状態を説明する上面模式図である。
【符号の説明】
【００５１】
２ｆ、２ｇ：指圧効果用用具
２ｋ：複合指圧効果用用具
１４ｇ：敷物
３０ｆ：棒状部材
３２ｆ：連結部材
５０：椅子
５４：座面部
【図１】
0004097161.tif 000002
【図２】
0004097161.tif 000003
【図３】
0004097161.tif 000004
【図４】
0004097161.tif 000005
【図５】
0004097161.tif 000006
【図６】
0004097161.tif 000007
【図７】
0004097161.tif 000008
【図８】
0004097161.tif 000009
【図９】
0004097161.tif 000010